(57)【特許請求の範囲】
【請求項１】
電子機器の本体に集音口を設け、この集音口を介して本体内部に収納されたマイクにより前記本体の外部で発生する音を集音する集音構造において、
前記電子機器の本体の底面から内部に貫通する集音口を有し、この集音口を設けた位置の前記本体内部にマイクを設置し、前記本体の底面から本体を設置する設置面まで延在して所定の空間を形成して前記集音口の周囲を包囲するとともに前記音が発生する所定方向に開口して前記外部からの音を前記空間内に集音する集音壁を設けることにより、前記音が前記集音口に集中するように設け、前記集音壁は前記本体の底面から延在するリブであることを特徴とする集音構造。
【請求項２】
請求項１に記載の電子機器の集音構造において、
前記集音壁は、前記集音口の周囲を包囲するように略Ｕ字形状に形成したリブであることを特徴とする集音構造。
【請求項３】
請求項２に記載の電子機器の集音構造において、
前記略Ｕ字形状のリブは、両端が前記本体の外部で発生する音の方側に向かって広がるように形成することを特徴とする集音構造。
【請求項４】
請求項３に記載の電子機器の集音構造において、
前記略Ｕ字形状のリブは、前記集音口の近傍で狭くなるように形成することを特徴とする集音構造。
【請求項５】
請求項１に記載の集音構造において、
前記電子機器の本体は、設置型のコードレス電話機または有線電話機のいずれかであることを特徴とする集音構造。
【発明の詳細な説明】
【０００１】
【発明の属する技術分野】
本発明は、集音構造に係り、より詳細には電子機器の本体に集音口を設けて本体内に収納したマイクにより集音する集音構造に関する。
【０００２】
【従来の技術】
従来、コードレス電話機、有線電話機、音響装置などの電子機器には、本体の内部にマイクを収納し、このマイクにより外部で発生する音を集音する集音構造を採用している。このような集音構造は、例えば、コードレス電話機、有線電話機などの設置型電話機の場合、本体の外側から内部に貫通する集音口を開口して、この集音口を設けた本体内にマイクを設置することにより本体外部から発せられた音声を集音する構造になっている。この電話機の集音構造は、例えば、使用者が設置した電話機に音声を発することで受話器を取らずに相手側と通話できるマイク（ハンズフリー用マイク）として使用されている。従って、このような集音構造は、外部で発生した音を確実に集音できる構造に形成することが重要になる。
【０００３】
図４は、このような従来の集音構造を採用したコードレス電話機を示す斜視図である。
図４に示すように、従来の集音構造を採用したコードレス電話機は、フロントケース３２とリアケース３４とを嵌合することにより形成される本体（親機）３０を備えている。
【０００４】
ここでフロントケース３２は、表面に凹状に設けた設置部３２ｂを設け、この設置部３２ｂに受話器（子機）４０を載置している。また、フロントケース３２には、使用者が図４に示した矢印Ｄの方向から発生する音声を集音するためにケースの表面から内部に貫通する集音口３２ａを設けている。
また、本体３０の内部には、電子部品、基板などの内部部品（図示せず）が収納されており、この内部部品には基板と接続したマイク３８が設けてある。このマイク３８は、本体３０の内部からフロントケース３２に設けた集音口３２ａの位置に設置されている。またマイク３８は、本体３０の内部で発生される音を集音しないように周囲を密閉して装着されている。
【０００５】
このような構成からなる従来の集音構造を採用した電話機により使用者の音声を集音する場合、まず、受話器４０を置いた状態で所定の操作キーによりマイクを使用可能にして通信相手と通信する。ここで通信相手と通話する場合、使用者は図４に示した矢印Ｄの方向に向かって音声を発生する。
この際、使用者の音声は、図４に示した矢印Ｄの方向からフロントケース３２に設けた集音口３２ａを介して集音される。この集音口３２ａに集音された音声は、本体３０の内部に設けたマイク３８により検出される。従って、マイク３８により検出した音声データは、通信する相手側に送信される。これにより使用者は、受話器４０を置いた状態で相手側と通話が可能になる。
【０００６】
このように、従来の集音構造を採用した電話機は、本体３０のフロントケース３２表面に集音用に開口した集音口３２ａを設け、この集音口３２ａの位置に対応させてマイク３８を設置することにより本体３０の外部から発せられる音声を集音していた。
【０００７】
ここで、従来の集音構造を採用した電話機において、集音口３２ａをフロントケース３２の表面に設けたものとは異なり、リアケースの底面から内部に貫通させて設けた電話機がある。図５は、図４に示した集音口を底面に設けた電話機を示す斜視図である。
図５に示すように、集音口を底面に設けた電話機は、前述した電話機と同様に、フロントケース５２とリアケース５４とを嵌合することにより形成される本体５０を備えている。
【０００８】
ここで、フロントケース５２には、表面に凹状に設けた設置部（図示せず）を設け、この設置部に受話器（図示せず）を載置している。
また、リアケース５４には、使用者が図５に示した矢印Ｅの方向から発生する音声を集音するためにケースの底面から内部に貫通する集音口５４ａを設けている。
【０００９】
また、本体５０の内部には、電子部品、基板などの内部部品（図示せず）が収納されており、この内部部品には基板と接続するマイク５８が設けてある。このマイク５８は、リアケース５４に設けた集音口５４ａの位置に対応させて設置されている。またマイク５８は、本体５０の内部で発生する音を集音しないように周囲を密閉して装着されている。
【００１０】
このような構成からなる従来の集音構造を採用した電話機により使用者の音声を集音する場合、まず、受話器を置いた状態で所定の操作キーによりマイクを使用可能にして通信相手と通信する。ここで通信相手と通話する場合、使用者は図５に示した矢印Ｅの方向に向かって音声を発生する。
この際、使用者の音声は、図５に示した矢印Ｅの方向からリアケース５４に設けた集音口５４ａを介して集音される。この集音口５４ａに集音された音声は、本体５０の内部に設けたマイク５８により検出される。従って、マイク５８により検出した音声データは、通信する相手側に送信される。これにより使用者は、受話器を置いた状態で相手側と通話が可能になる。
【００１１】
以上、説明したように従来の集音構造に採用した電話機は、マイク（ハンズフリー機能用マイク）を上面のフロントケース、または底面のリアケースのいずれかに設置し、このいずれかのケースのマイク設置部に貫通した集音口を設けることで外部で発生した音を集音していた。
【００１２】
【発明が解決しようとする課題】
しかしながら従来の集音構造では、図４に示したように集音口３２ａをフロントケース３２の表面に配置すると、この集音口３２ａの内部に埃等の物質が進入するとともに、この埃が集音口３２ａを塞いでしまい集音効果を低下させてしまう不具合があった。
また、図５に示したように集音口５４ａをリアケース５４の底面に配置すると、図５に示した矢印Ｅの方向から発生する使用者の音声とともに、全ての方向から発生する音をマイク５８が集音口５４ａを介して検出するため、通信する相手側が聞き取りにくくなるという不具合があった。
さらに、底面に集音口５４ａを配置すると、例えば、じゅうたん等のような軟らかい材質の上部に設置した場合、この軟らかい材質により集音口５４ａを塞いでしまう不具合があった。
本発明はこのような課題を解決し、マイクの集音口が塞がれることがなく、発生音を集音口に確実に集音できる集音構造を提供することを目的とする。
【００１３】
【課題を解決するための手段】
本発明は上述の課題を解決するために、電子機器の本体に集音口を設けてこの集音口を介して本体内部に収納されたマイクにより本体の外部で発生する音を集音する集音構造であって、電子機器の本体の底面から内部に貫通する集音口を有し、この集音口を設けた位置の本体内部にマイクを設置し、本体の底面から本体を設置する設置面まで延在して所定の空間を形成して集音口の周囲を包囲するとともに音が発生する所定方向に開口して外部からの音を空間内に集音する集音壁を設けることにより、音が集音口に集中するように設け、集音壁は本体の底面から延在するリブにする。
ここで、集音壁は集音口の周囲を包囲するように略Ｕ字形状に形成したリブであり、両端が本体の外部で発生する音の方側に向かって広がるとともに集音口の近傍で狭くなるように形成することが好ましい。また、電子機器の本体は、設置型のコードレス電話機または有線電話機のいずれかに用いることが好ましい。
【００１４】
【発明の実施の形態】
次に添付図面を参照して本発明による集音構造の実施の形態を詳細に説明する。図１は、本発明による集音構造を採用した電話機の実施の形態を示す斜視図である。また、図２は、図１に示したＡ部の詳細を示す拡大図である。また、図３は、図１に示したＢ−Ｂ線の断面を示す断面図である。
【００１５】
図１に示すように、本発明による集音構造を採用した電話機は、フロントケース１０とリアケース２０とを嵌合することにより形成される本体２（親機）を備えている。
フロントケース１０は、表面に凹状に設けた設置部（図示せず）を設け、この設置部に受話器（図示せず）を載置している。
また、リアケース２０には、使用者が図１に示した矢印Ｃの方向から発生する音声を集音するためにケースの底面から内部に貫通する集音口２２を設けている。この集音口２２の近傍には、リアケース２０の底面から延在して集音口２２の周囲を囲むように配設された集音リブ２４を設けてある。
【００１６】
ここで、集音リブ２４は、図２に示すように、集音口２２の周囲を囲むようにリアケース２０の底面から延在し、図１に示したＣ方向から本体２に向かい発生される音の方側に広がるように設けられ、尚且つ集音口２２の近傍で狭くなるように設けてある。
また、本体２の内部には、電子部品、基板などの内部部品（図示せず）が収納されており、この内部部品には図２に示すようにリアケース２０に設けた集音口２２の位置に設置される円筒形状のマイク２８が設けられている。このマイク２８は、本体の内部で基板に接続されているとともに、本体の内部で発生される音を集音しないように周囲を密閉して装着されている。
【００１７】
図３に示すように、円筒形状のマイク２８は、本体の内部でリアケース２０の底面から上部に円筒形状に突出するマイク収納部２６を設け、このマイク収納部２６により周囲を密閉している。これによりマイク２８は、本体の外部から発せられた音を集音口２２を介して集音することができる。
また、集音リブ２４は、本体を設置した際、リアケース２０の底面と設置面１との間で延在して所定の空間（ドーム状の空間）を形成するとともに、略Ｕ字形状に集音口２２を囲む集音構造を備えている。
従って、本体の外部から発せられる音は、リアケース２０の底面と設置面１との間で集音リブ２４内部の空間に集音されるため、反射音または使用者の小さな声でも集音可能な優れた集音効果を得ることができる。
【００１８】
このような構成からなる本発明による集音構造を採用した電話機により使用者の音声を集音する場合、まず、受話器を置いた状態で所定の操作キーによりマイクを使用可能にして通信相手と通信する。ここで通信相手と通話する場合、使用者は図１に示した矢印Ｃの方向に向かって音声を発生する。
この際、使用者の音声は、図１に示した矢印Ｃの方向からリアケース２０の底面と図３に示した設置面１との間に延在する集音リブ２４を介して集音口２２に集音される。この集音口２２に集音された音声は、本体２の内部に設けたマイク２８により検出される。従って、マイク２８により検出した音声データは、通信する相手側に送信される。これにより使用者は、受話器を置いた状態で相手側と通話が可能になる。
【００１９】
以上、本発明によってなされた集音構造の実施の形態を詳細に説明したが、本発明は前述の実施の形態に限定されるものではなく、その要旨を逸脱しない範囲で変更可能である。
例えば、リアケース２０の底面から延在する集音リブ２４は、リブ形状に形成することに限定されるものではない。
また、集音リブ２４は、略Ｕ字形状に形成した実施の形態を説明したが、これに限定されるものではなく、例えば、Ｖ字形状に形成してもよい。
また、本発明によってなされた集音構造をコードレス電話機に採用した実施の形態を説明したが、これに限定されるものではなく、例えば、有線電話機、音響装置などの電子機器にも適用できる。
【００２０】
【発明の効果】
このように本発明による集音構造によれば、集音口を本体の底面に設けているため、埃等の物質が進入することがなく、埃により集音口が塞がれて集音効果が低下することを防止できる。
【００２１】
また、集音口を包囲して使用者が発生する音声方側に開口する略Ｕ字形状の集音リブを設けることにより、所定の方向からの音声のみを洩れなく集音でき、マイクが明瞭な音声を検出できる。
【００２２】
さらに、本体の底面と設置面との間に集音リブを延在させて集音口を所定の高さに位置させているため、例えば、じゅうたん等のような軟らかい材質の上部に設置しても、集音口が塞がることがなくなる。
【図面の簡単な説明】
【図１】本発明による集音構造を採用した電話機の実施の形態を示す斜視図。
【図２】図１に示したＡ部の詳細を示す拡大図。
【図３】図１に示したＢ−Ｂ線の断面を示す断面図。
【図４】従来の集音構造を採用したコードレス電話機を示す斜視図。
【図５】図４に示した集音口を底面に設けた電話機を示す斜視図。
【符号の説明】
２  本体
１０  フロントケース
２０  リアケース
２２  集音口
２４  集音リブ
２８  マイク
【図１】
0003542498.tif 000002
【図２】
0003542498.tif 000003
【図３】
0003542498.tif 000004
【図４】
0003542498.tif 000005
【図５】
0003542498.tif 000006